(57)【要約】      （修正有）【課題】降雨時のセッティングや撮影中の急ぎの場合、容易にカメラ等を取り外したり取り付けたりでき、傘の位置や角度の調節に便利である。【解決手段】カメラ用傘取付ブラケットの支持金具Ａを三脚のセンターポール１に取り付けることにより、傘はカメラの回り任意の位置に固定できる、Ｌ型金具Ｂは自在とし角度が調節できる、傘ホルダーＣでは高さの調節ができる、蝶ボルト５の締め付け時も蝶ナット６がついたまま行える等利便性がある。【選択図】図１
0003113303.tif 000002
【実用新案登録請求の範囲】
【請求項１】
カメラ用傘取付ブラケットの支持金具を三脚のセンターポールに取り付けることにより傘はカメラの回り任意の位置に固定できること、Ｌ型金具は自在とし角度が調節できる、傘ホルダーでは高さが調節できる、蝶ボルトの締め付け時も蝶ナットが付いたままで行える等一連一体となっているもの。
【考案の詳細な説明】
【技術分野】
【０００１】  本考案は、降雨時等の撮影に、傘を三脚に取り付けるためのブラケットに関するものである。
【背景技術】
【０００２】  従来は、降雨時等の撮影は、傘を片手に持ったり、雲台に取り付けた装置に傘を取り付けていた。    特許文献      実開  平６−８７９５３
【考案の開示】
【考案が解決しようとする課題】
【０００３】  雲台に取り付ける装置の場合、その都度一々カメラを取り外したり取り付けたりしなければならない、そのため降雨時等のセッティングに時間が掛かり撮影中の急ぎの場合、カメラや撮影者等を濡らしてしまう恐れがある。又、傘の位置や角度の調節に限度があり困難であること。
【課題を解決するための手段】
【０００４】  本考案は、カメラ用傘取付ブラケットの支持金具を三脚のセンターポールに取り付けることにより傘はカメラの回り任意の位置に固定できる。Ｌ型金具は自在とし角度が調節できる。傘ホルダーでは高さが調節できるので、カメラや撮影者等が雨や雪等を防げる。又蝶ボルトの締め付け時も蝶ナットが付いたままで行える。
【考案の効果】
【０００５】  上述の様に、本考案のカメラ用傘取付ブラケットを使用することにより、降雨時等のセッティングや撮影中急ぎの場合などで短時間でセットできる。支持金具の蝶ナットをゆるめることでカメラの回り任意の位置に固定できること、Ｌ型金具の角度が調節できる、傘ホルダーで高さの調節ができるので傘の位置、角度、高さが自由に設定できる。
このため、カメラや撮影者等が雨や雪等を防ぐ事ができ容易にセットできる。カメラは縦位置横位置でも傘はそのままで良い、三脚ポールにも取り付け可能、他にレフ板、反射傘用、日よけ用、双眼鏡等の装着時に利用できる。また折りたたみで小さくなるため持ち運びに便利である。
【考案を実施するための最良の形態】
【０００６】  カメラ用傘取付ブラケットは大きく分けて、支持金具Ａ、Ｌ型金具Ｂ、傘ホルダーＣが一体となっている。支持金具Ａは蝶番式でポールに挟み込み蝶ボルトをスライドし引っかけて締め付ける、Ｌ型金具Ｂはジョイント部８が自在で９が固定ナットになっているので蝶ナットを緩めると角度が自由となる、傘ホルダーＣは蝶番式で傘の中棒を挟み込み両面の丸型溝１０に合わせ蝶ボルトをスライドして引っかけて締め付ける。
【実施例】
【０００７】  以下添付図面に従って実施例を説明する。
〔図１〕の１は三脚のセンターポール、２はカメラを取り付ける雲台、３はカメラです。
〔図１〕〔図４〕の支持金具Ａは４がピンになっていて開閉できる、５の蝶ボルトを７の掻き込み部にスライドして引っかけて６の蝶ナットで締め付ける。【０００８】  〔図１〕〔図２〕のＬ型金具Ｂは８で自在になっている９は固定ナットで６の蝶ナットを緩めることにより角度が自由となる。【０００９】〔図１〕〔図３〕の傘ホルダーはＬ型金具Ｂの先端に固定され４がピンになっていて開閉できる、１０は丸型溝が長手方向にあり５の蝶ボルトを７の掻き込み部にスライドして引っかけ６の蝶ナットで締め付ける。【００１０】  〔図５〕はカメラ用傘取付ブラケットを傘と共に三脚にセットしたイメージ図である。
【図面の簡単な説明】
【００１１】
【図１】  本考案のカメラ用傘取付ブラケットの実施を示す正面図である。
【図２】  Ｌ型金具及び傘ホルダー部の側面図である。
【図３】  傘ホルダー部の説明図である。
【図４】  支持金具部の説明図である。
【図５】  カメラ用傘取付ブラケットを傘と共に三脚にセットしたイメージ図である。
【符号の説明】
【００１２】  Ａ  支持金具
Ｂ  Ｌ型金具
Ｃ  傘ホルダー
１  センターポール
２  雲台
３  カメラ
４  ピン
５  蝶ボルト
６  蝶ナット
７  掻き込み部
８  ジョイント部
９  固定ナット
１０  丸型溝
１１  中棒
【図１】
0003113303.tif 000003
【図２】
0003113303.tif 000004
【図３】
0003113303.tif 000005
【図４】
0003113303.tif 000006
【図５】
0003113303.tif 000007
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
丸い棒状の物（三脚のセンターポール）に挟み込みボルトで締め付け取り付る、その回りを可動出来るようにした支持金具と、中間で折れ交点をボルト締めにして傾斜角度を任意に設定出来るよう自在としたＬ型の金具と、その上部に丸い棒状の物（傘の中棒）を挟み取り付けられるようにした傘ホルダーが連結する構成となった、カメラ用傘取り付けブラケット。
【手続補正書】
【提出日】平成17年3月18日(2005.3.18)
【手続補正１】
【補正対象書類名】実用新案登録請求の範囲
【補正対象項目名】全文
【補正方法】変更
【補正の内容】
【実用新案登録請求の範囲】
【請求項１】
本考案の特徴は丸い棒状の物に挟み込みボルトで締め付け取り付け、その回りを可動出来るようにした支持金具と、中間で折れ交点をボルト締めにして傾斜角度を任意に設定出来るよう自在としたＬ型金具と、その上部に丸い棒状の物を挟み取り付けられるようにした傘ホルダーが連結する構成となった、カメラ用傘取り付けブラケット。
【手続補正２】
【補正対象書類名】明細書
【補正対象項目名】０００９
【補正方法】変更
【補正の内容】
【０００９】  ［図１］［図２］の傘ホルダーＣはＬ型金具Ｂの先端に固定され４がピンになっていて開閉できる、１０は丸形溝が長手方向にあり５の蝶ボルトを７の掻き込み部にスライドして引っかけ６の蝶ナットで締め付ける。
【手続補正３】
【補正対象書類名】明細書
【補正対象項目名】００１０
【補正方法】変更
【補正の内容】
【００１０】  ［図５］はＬ型金具Ｂ、８のジョイント部は円形二つ１２の歯車がかみ合う形状で６の蝶ナットで締め付ける、その中は１３の空洞となっており１４のコイルばねが入り６の蝶ナットをゆるめるときに双方を押し開く。
【手続補正４】
【補正対象書類名】明細書
【補正対象項目名】００１１
【補正方法】変更
【補正の内容】
【００１１】
【図１】  本考案のカメラ用傘取り付けブラケットの実施を示す正面図である。
【図２】  Ｌ型金具及び傘ホルダー部の側面図である。
【図３】  傘ホルダー部の説明図である。
【図４】  支持金具部の説明図である。
【図５】  Ｌ型金具、ジョイント部の説明図である。
【手続補正５】
【補正対象書類名】明細書
【補正対象項目名】００１２
【補正方法】変更
【補正の内容】
【００１２】  Ａ  支持金具
Ｂ  Ｌ型金具
Ｃ  傘ホルダー
１  センターポ−ル
２  雲台
３  カメラ
４  ピン
５  蝶ボルト
６  蝶ナット
７  掻き込み部
８  ジョイント部
９  固定ナット
１０  丸形溝
１１  中棒
１２  歯車
１３  空洞
１４  コイルばね
【手続補正６】
【補正対象書類名】図面
【補正対象項目名】図５
【補正方法】変更
【補正の内容】
【図５】
0003113303.tif 000008
【手続補正書】
【提出日】平成17年3月19日(2005.3.19)
【手続補正１】
【補正対象書類名】実用新案登録請求の範囲
【補正対象項目名】全文
【補正方法】変更
【補正の内容】
【実用新案登録請求の範囲】
【請求項１】
本考案の特徴は丸い棒状の物に挟み込みボルトで締め付け取り付け、その回りを可動出来るようにした支持金具と、中間で折れ交点をボルト締めにして傾斜角度を任意に設定出来るよう自在としたＬ型金具と、その上部に丸い棒状の物を挟み取り付けられるようにした傘ホルダーが連結する構成となった、カメラ用傘取り付けブラケット。
【手続補正２】
【補正対象書類名】明細書
【補正対象項目名】０００９
【補正方法】変更
【補正の内容】
【０００９】  ［図１］［図２］の傘ホルダーＣはＬ型金具Ｂの先端に固定され４がピンになっていて開閉できる、１０は丸形溝が長手方向にあり５の蝶ボルトを７の掻き込み部にスライドして引っかけ６の蝶ナットで締め付ける。